【事件の表示】
　特願２００８−５４１２７０「システム動作前の動的広告板サービス」拒絶査定不服審判事件〔平成１９年　５月３１日国際公開、ＷＯ２００７／０６１６８１、平成２１年　６月２５日国内公表、特表２００９−５２４１２１〕について、次のとおり審決する。
【結　論】
　本件審判の請求は、成り立たない。
【理　由】
　
第１　手続の経緯
　
　本件審判請求に係る出願（以下、「本願」という。）は、２００６年１１月１３日（パリ条約に基づく優先権主張外国庁受理　２００５年１１月２１日、アメリカ合衆国）を国際出願日とする出願であって、平成２０年５月１６日付けで特許法第１８４条の４第１項の規定による国際出願日における明細書、請求の範囲、図面（図面の中の説明に限る。）及び要約の翻訳文が提出され、同日付けで審査請求がなされ、平成２３年６月２７日付けで拒絶理由通知（同年７月５日発送）がなされ、これに対して同年１１月７日付けで意見書が提出されると共に手続補正書が提出されたが、平成２４年６月１日付けで拒絶査定（同年６月５日謄本送達）がなされた。　
　これに対して、本件審判請求は、「原査定を取り消す、本願は特許をすべきものであるとの審決を求める」ことを請求の趣旨として、平成２４年１０月５日付けで審判請求がなされると共に、同日付けで手続補正がなされたものである。
　そして、平成２４年１１月２日付けで審査官により特許法第１６４条第３項の規定に基づく報告がなされ、平成２５年２月１４日付けで当審により特許法第１３４条第４項の規定に基づく審尋（同年２月１９日発送）がなされ、同年５月２０日付けで回答書の提出があったものである。
　
　
第２　平成２４年１０月５日付けの手続補正についての補正却下の決定 
　
 ［補正却下の決定の結論］ 
　
 　平成２４年１０月５日付けの手続補正を却下する。
　
 ［理由］ 
　
 １．補正の内容
　
　平成２４年１０月５日付けの手続補正（以下、「本件補正」という。）の内容は、平成２３年１１月７日付けの手続補正により補正された特許請求の範囲の請求項１乃至２０の記載
　
「【請求項１】
　装置であって：
　オペレーティング・システムを起動する前に通信ネットワークを介し画面画像を
抽出する
と、
　
前記オペレーティング・システムを起動する前にコンソールに前記抽出された画面画像を表示するディスプレイと
【請求項２】
　前記画面画像は制御可能な時間期間の間、表示される、請求項１記載の装置。
【請求項３】
　前記画面画像は前記通信ネットワークと結合されたサーバーから読み出される、請求項１記載の装置。
【請求項４】
　前記
抽出された
【請求項５】
　前記画面画像はユーザーに合わせて調整される、請求項４記載の装置。
【請求項６】
　前記画面画像はユーザーにより選択可能である、請求項１記載の装置。
【請求項７】
　前記広告板モジュールは拡張可能ファームウェア・インターフェースの一部である、請求項１記載の装置。
【請求項８】
　方法であって：
　
オペレーティング・システムを起動する前に
抽出する
　
前記
抽出された
【請求項９】
　前記画面画像は前記通信ネットワークと結合されたシステムにより制御される時間期間の間、表示される、請求項８記載の方法。
【請求項１０】
　前記
抽出された
【請求項１１】
　前記画面画像はユーザーに合わせて調整される、請求項１０記載の方法。
【請求項１２】
　前記画面画像は制御可能な時間期間の間、表示される、請求項８記載の方法。
【請求項１３】
　関連付けられた情報を有する機械アクセス可能な
記憶
　前記情報は、アクセスされると、機械に：
　
オペレーティング・システムを起動する前に
抽出
　
前記
記憶媒体
【請求項１４】
　前記画面画像は制御可能な時間期間の間、表示される、請求項１３記載の
記憶媒体
【請求項１５】
　前記
抽出された
記憶媒体
【請求項１６】
　前記画面画像はユーザーに合わせて調整される、請求項１３記載の
記憶媒体
【請求項１７】
　システムであって：
　オペレーティング・システムを格納するディスク・ドライブ；及び
　前記オペレーティング・システムを起動する前に通信ネットワークを介し画面画像を
抽出する
と、
　
前記オペレーティング・システムを起動する前にコンソールに前記抽出された画面画像を表示するディスプレイと
【請求項１８】
　前記画面画像は制御可能な時間期間の間、表示される、請求項１７記載のシステム。
【請求項１９】
　前記画面画像はユーザーに合わせて調整される、請求項１７記載のシステム。
【請求項２０】
　前記画面画像は前記通信ネットワークと結合されたサーバーから
抽出
　
を、
　
「【請求項１】
　
オペレーティング・システムの起動処理を提供する拡張ファームウェア・インタフェース（ＥＦＩ）であって、ＥＦＩドライバの順序付けされたロード及び実行を提供する前記ＥＦＩと、
　
前記ＥＦＩが前記
、第三者装置から
サービスドライバであって、前記広告板サービスドライバは前記ＥＦＩドライバの１つである、前記広告板サービスドライバ
　
前記ＥＦＩが
、前記広告板サービスドライバの制御の下で
する装置であって、
　
前記ＥＦＩは、前記画面画像を抽出し、前記ＥＦＩが前記オペレーティング・システムを起動する前に、制御可能な時間期間において前記ディスプレイに前記抽出された画面画像を表示するため、ドライバ実行環境中に前記広告板サービスドライバを初期化
【請求項２】
　前記画面画像は前記通信ネットワークと結合されたサーバーから読み出される、請求項１記載の装置。
【請求項３】
　前記抽出された画面画像は前記通信ネットワークと結合されたサーバーを通じてサービス・プロバイダーにより選択可能である、請求項１記載の装置。
【請求項４】
　前記画面画像はユーザーに合わせて調整される、請求項
３
【請求項５】
　前記画面画像はユーザーにより選択可能である、請求項１記載の装置。
【請求項６】
　
拡張ファームウェア・インタフェース（ＥＦＩ）がオペレーティング・システムを起動する前に、広告板サービスドライバを含む前記ＥＦＩのＥＦＩドライバをロード及び実行するステップであって、前記広告板サービスドライバは、実行されると画面画像をコンピュータシステムの外部の第三者装置から通信ネットワークを介し抽出する、前記ＥＦＩドライバをロード及び実行する段階と、
　
前記ＥＦＩが前記
、前記
前記
よう前記広告板サービスドライバを実行する
と、
　
前記ＥＦＩが
、制御可能な時間期間において
と
【請求項７】
　前記画面画像は前記通信ネットワークと結合されたシステムにより制御される時間期間の間、表示される、請求項
６
【請求項８】
　前記抽出された画面画像は前記
通信
６
【請求項９】
　前記画面画像はユーザーに合わせて調整される、請求項
８
【請求項１０】
　オペレーティング・システムを格納するディスク・ドライブ
と、
　
前記オペレーティング・システムの起動処理を提供する拡張ファームウェア・インタフェース（ＥＦＩ）であって、ＥＦＩドライバの順序付けされたロード及び実行を提供する前記ＥＦＩと、
　
前記ＥＦＩが
、第三者装置から
サービスドライバであって、前記広告板サービスドライバは、前記ＥＦＩドライバの１つである、前記広告板サービスドライバ
　
前記ＥＦＩが
、前記広告板サービスドライバの制御の下で
であって、
　
前記ＥＦＩは、前記画面画像を抽出し、前記ＥＦＩが前記オペレーティング・システムを起動する前に、制御可能な時間期間において前記ディスプレイに前記抽出された画面画像を表示するため、ドライバ実行環境中に前記広告板サービスドライバを初期化するシステム。
【請求項１１】
　前記画面画像はユーザーに合わせて調整される、請求項
１０
【請求項１２】
　前記画面画像は前記通信ネットワークと結合されたサーバーから抽出される、請求項１０記載のシステム。」（以下、この特許請求の範囲に記載された請求項を「補正後の請求項」という。）
　
に補正するものである。
　
　そして、本件補正は、願書に最初に添付した明細書、特許請求の範囲又は図面に記載した事項の範囲内においてなされており、平成１８年法律第５５号改正附則第３条第１項によりなお従前の例によるとされる同法による改正前の特許法第１７条の２第３項の規定に適合している。
　
２．補正の目的要件
　
　次に、本件補正が、平成１８年法律第５５号改正附則第３条第１項によりなお従前の例によるとされる同法による改正前の特許法１７条の２第４項の規定を満たすものであるか否か、すなわち、本件補正が、特許法第１７条の２第４項に規定する請求項の削除、特許請求の範囲の減縮（特許法第３６条第５項の規定により請求項に記載した発明を特定するために必要な事項を限定するものであって、その補正前の当該請求項に記載された発明とその補正後の当該請求項に記載される発明の産業上の利用分野及び解決しようとする課題が同一であるものに限る）、誤記の訂正、或いは、明りょうでない記載の釈明（拒絶理由通知に係る拒絶の理由に示す事項についてするものに限る）の何れかを目的としたものであるかについて、以下に検討する。　
　
（２−１）本件補正は、補正前の請求項１に　
「装置であって：
　オペレーティング・システムを起動する前に通信ネットワークを介し画面画像を抽出する広告板モジュールと、
　前記オペレーティング・システムを起動する前にコンソールに前記抽出された画面画像を表示するディスプレイと、を有する装置。」が記載されているところ、
補正前の請求項２に記載された　
「前記画面画像は制御可能な時間期間の間、表示される、請求項１記載の装置。」を、　
補正後の請求項１に記載された　
「オペレーティング・システムの起動処理を提供する拡張ファームウェア・インタフェース（ＥＦＩ）であって、ＥＦＩドライバの順序付けされたロード及び実行を提供する前記ＥＦＩと、
　前記ＥＦＩが前記オペレーティング・システムを起動する前に、第三者装置から通信ネットワークを介し画面画像を抽出する広告板サービスドライバであって、前記広告板サービスドライバは前記ＥＦＩドライバの１つである、前記広告板サービスドライバと、
　前記ＥＦＩが前記オペレーティング・システムを起動する前に、前記広告板サービスドライバの制御の下でコンソールに前記抽出された画面画像を表示するディスプレイと、を有する装置であって、
　前記ＥＦＩは、前記画面画像を抽出し、前記ＥＦＩが前記オペレーティング・システムを起動する前に、制御可能な時間期間において前記ディスプレイに前記抽出された画面画像を表示するため、ドライバ実行環境中に前記広告板サービスドライバを初期化する装置。」に補正している。
　　
　すなわち、本件補正は、補正前の請求項１及び請求項２に記載されている「広告板モジュール」と、「ディスプレイ」と、を有する「装置」に「拡張ファームウェア・インタフェース（ＥＦＩ）」の構成を追加する補正をしている。 
　
　しかしながら、本件補正後の請求項１の「拡張ファームウェア・インタフェース（ＥＦＩ）」、即ち「オペレーティング・システムの起動処理を提供する拡張ファームウェア・インタフェース（ＥＦＩ）であって、ＥＦＩドライバの順序付けされたロード及び実行を提供する前記ＥＦＩ」の構成を追加する補正は、補正前の請求項１，２の何れの発明特定事項に対しても限定を加えるものでないから、特許請求の範囲の減縮（第３６条第５項の規定により請求項に記載した発明を特定するために必要な事項を限定するものであって、その補正前の当該請求項に記載される発明の産業上の利用分野及び解決しようとする課題が同一であるものに限る。）（以下「限定的減縮」と記す。）を目的としたものとは認められない。また、誤記の訂正、明りょうでない記載の釈明（拒絶理由通知に係る拒絶の理由に示す事項についてするものに限る。）のいずれかを目的とするものでもない。
　
（２−２）本件補正は、補正前の請求項８に　
「方法であって：
　オペレーティング・システムを起動する前に通信ネットワークを介し画面画像を抽出する段階；及び
　前記オペレーティング・システムを起動する前にコンソールで前記抽出された画面画像を表示する段階、を有する方法。」が記載されているところ、
補正前の請求項１２に記載された　
「前記画面画像は制御可能な時間期間の間、表示される、請求項８記載の方法。」を、　
補正後の請求項６に記載された　
「拡張ファームウェア・インタフェース（ＥＦＩ）がオペレーティング・システムを起動する前に、広告板サービスドライバを含む前記ＥＦＩのＥＦＩドライバをロード及び実行するステップであって、前記広告板サービスドライバは、実行されると画面画像をコンピュータシステムの外部の第三者装置から通信ネットワークを介し抽出する、前記ＥＦＩドライバをロード及び実行する段階と、　
　前記ＥＦＩが前記オペレーティング・システムを起動する前に、前記通信ネットワークを介し前記画面画像を抽出するよう前記広告板サービスドライバを実行する段階と、
　前記ＥＦＩが前記オペレーティング・システムを起動する前に、制御可能な時間期間においてコンソールで前記抽出された画面画像を表示する段階と、を有する方法。」に補正している。
　　
　すなわち、本件補正は、補正前の請求項８及び請求項１２に記載されている「オペレーティング・システムを起動する前に通信ネットワークを介し画面画像を抽出する段階」と、「前記オペレーティング・システムを起動する前にコンソールで前記抽出された画面画像を表示する段階」と、を有する「方法」に、「拡張ファームウェア・インタフェース（ＥＦＩ）がオペレーティング・システムを起動する前に、広告板サービスドライバを含む前記ＥＦＩのＥＦＩドライバをロード及び実行するステップであって、前記広告板サービスドライバは、実行されると画面画像をコンピュータシステムの外部の第三者装置から通信ネットワークを介し抽出する、前記ＥＦＩドライバをロード及び実行する段階」のステップを追加する補正をしている。 
　
　しかしながら、本件補正後の請求項６の「拡張ファームウェア・インタフェース（ＥＦＩ）がオペレーティング・システムを起動する前に、広告板サービスドライバを含む前記ＥＦＩのＥＦＩドライバをロード及び実行するステップであって、前記広告板サービスドライバは、実行されると画面画像をコンピュータシステムの外部の第三者装置から通信ネットワークを介し抽出する、前記ＥＦＩドライバをロード及び実行する段階」のステップを追加する補正は、補正前の請求項８，１２の何れの発明特定事項（段階）に対しても限定を加えるものでないから、特許請求の範囲の減縮（第３６条第５項の規定により請求項に記載した発明を特定するために必要な事項を限定するものであって、その補正前の当該請求項に記載される発明の産業上の利用分野及び解決しようとする課題が同一であるものに限る。）（以下「限定的減縮」と記す。）を目的としたものとは認められない。また、誤記の訂正、明りょうでない記載の釈明（拒絶理由通知に係る拒絶の理由に示す事項についてするものに限る。）のいずれかを目的とするものでもない。
　　
（２−３）本件補正は、補正前の請求項１７に　
「システムであって：
　オペレーティング・システムを格納するディスク・ドライブ；及び
　前記オペレーティング・システムを起動する前に通信ネットワークを介し画面画像を抽出する広告板モジュールと、
　前記オペレーティング・システムを起動する前にコンソールに前記抽出された画面画像を表示するディスプレイと、を有するシステム。」が記載されているところ、
補正前の請求項１８に記載された　
「前記画面画像は制御可能な時間期間の間、表示される、請求項１７記載のシステム。」を、　
補正後の請求項１０に記載された　
「オペレーティング・システムを格納するディスク・ドライブと、
　前記オペレーティング・システムの起動処理を提供する拡張ファームウェア・インタフェース（ＥＦＩ）であって、ＥＦＩドライバの順序付けされたロード及び実行を提供する前記ＥＦＩと、
　前記ＥＦＩが前記オペレーティング・システムを起動する前に、第三者装置から通信ネットワークを介し画面画像を抽出する広告板サービスドライバであって、前記広告板サービスドライバは、前記ＥＦＩドライバの１つである、前記広告板サービスドライバと、
　前記ＥＦＩが前記オペレーティング・システムを起動する前に、前記広告板サービスドライバの制御の下でコンソールに前記抽出された画面画像を表示するディスプレイと、を有するシステムであって、
　前記ＥＦＩは、前記画面画像を抽出し、前記ＥＦＩが前記オペレーティング・システムを起動する前に、制御可能な時間期間において前記ディスプレイに前記抽出された画面画像を表示するため、ドライバ実行環境中に前記広告板サービスドライバを初期化するシステム。」に補正している。
　　
　すなわち、本件補正は、補正前の請求項１７及び請求項１８に記載されている「ディスク・ドライブ」、「広告板モジュール」と、「ディスプレイ」と、を有する「システム」に「拡張ファームウェア・インタフェース（ＥＦＩ）」の構成を追加する補正をしている。 
　
　しかしながら、本件補正後の請求項１０の「拡張ファームウェア・インタフェース（ＥＦＩ）」、即ち「前記オペレーティング・システムの起動処理を提供する拡張ファームウェア・インタフェース（ＥＦＩ）であって、ＥＦＩドライバの順序付けされたロード及び実行を提供する前記ＥＦＩ」の構成を追加する補正は、補正前の請求項１７，１８の何れの発明特定事項に対しても限定を加えるものでないから、特許請求の範囲の減縮（第３６条第５項の規定により請求項に記載した発明を特定するために必要な事項を限定するものであって、その補正前の当該請求項に記載される発明の産業上の利用分野及び解決しようとする課題が同一であるものに限る。）（以下「限定的減縮」と記す。）を目的としたものとは認められない。また、誤記の訂正、明りょうでない記載の釈明（拒絶理由通知に係る拒絶の理由に示す事項についてするものに限る。）のいずれかを目的とするものでもない。
　
（２−４）したがって、本件補正は、平成１８年法律第５５号改正附則第３条第１項によりなお従前の例によるとされる同法による改正前の特許法１７条の２第４項の各号に掲げるいずれの事項を目的とするものにも該当せず、同法第１７条の２第４項の規定に違反するので、同法第１５９条第１項において読み替えて準用する同法第５３条第１項の規定により却下すべきものである。
　
３．独立特許要件
　
　以上のように、補正前の請求項２，請求項１２及び請求項１８についてする補正は、「２．補正の目的要件」で指摘したとおり、平成１８年法律第５５号改正附則第３条第１項によりなお従前の例によるとされる同法による改正前の特許法第１７条の２第４項第２号の限定的減縮に該当せず、特許法第１７条の２第４項の規定に違反するものであるが、仮に、本件補正が、平成１８年法律第５５号改正附則第３条第１項によりなお従前の例によるとされる同法による改正前の特許法第１７条の２第４項第２号の限定的減縮に該当すると仮定した場合に、本件補正後の請求項に記載された発明が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）以下に検討する。　
　
（１）本件補正発明
　
　本件補正後の請求項６に記載された発明（以下、「本件補正発明」という。）は、上記平成２４年１０月５日付け手続補正書により補正された明細書及び図面の記載からみて、その特許請求の範囲の請求項６に記載された以下のとおりのものと認める。
　
「拡張ファームウェア・インタフェース（ＥＦＩ）がオペレーティング・システムを起動する前に、広告板サービスドライバを含む前記ＥＦＩのＥＦＩドライバをロード及び実行するステップであって、前記広告板サービスドライバは、実行されると画面画像をコンピュータシステムの外部の第三者装置から通信ネットワークを介し抽出する、前記ＥＦＩドライバをロード及び実行する段階と、　
　前記ＥＦＩが前記オペレーティング・システムを起動する前に、前記通信ネットワークを介し前記画面画像を抽出するよう前記広告板サービスドライバを実行する段階と、
　前記ＥＦＩが前記オペレーティング・システムを起動する前に、制御可能な時間期間においてコンソールで前記抽出された画面画像を表示する段階と、を有する方法。」
　
　
（２）引用発明
　
　本願の出願日前であって、上記優先日よりも前の日に頒布され、原審の平成２３年６月２７日付けの拒絶理由通知において引用された、特開２００４−２１３１６５号公報（平成１６年７月２９日出願公開、以下、「引用文献」という。）には、関連する図面とともに、以下の技術的事項が記載されている。
　（当審注：下線は、参考のために当審で付与したものである。）
　
Ａ　「【０００１】　
【発明の属する技術分野】　
本発明は、コンピュータ装置、表示情報配信システム、ＢＩＯＳ画面表示方法、およびそのプログラムに関し、特に、ＯＳ起動前までの画面表示をＢＩＯＳにより制御するコンピュータ装置、表示情報配信システム、ＢＩＯＳ画面表示方法、およびそのプログラムに関する。　
【０００２】　
【従来の技術】　
従来、ＢＩＯＳ（Ｂａｓｉｃ　Ｉｎｐｕｔ／Ｏｕｔｐｕｔ　Ｓｙｓｔｅｍ）により表示されるロゴ画面はユーザにとってまったくメリットの無いものであり、メーカーとしても、装置開発元を示す以外のなんら付加価値も持ってはいなかった。特にサーバ分野においては、搭載するメモリ容量が増え、
ＢＩＯＳ中で厳密なメモリチェックを行う場合、ＯＳ（Ｏｐｅｒａｔｉｎｇ　Ｓｙｓｔｅｍ）起動までに時間がかかるため、このロゴ表示時間が長い。起動時間は改善されつつあるが、エラーチェックを厳密に行い、エラー検出したメモリを切り離す機能を持つサーバ装置の場合、単純にメモリチェックをバイパスさせての起動時間短縮は出来ないため、長時間ロゴ画面が表示されている。
【０００３】　
このように、従来のサーバなどのコンピュータ装置では、電源ＯＮからＯＳ起動までの時間が長く、その間に注意を引き付けない、変化無しのメーカーロゴを単に表示をしているだけであったため、ユーザに操作待ち時間を強要し、利用意欲を減退させていた。　
…（中略）…　
【０００７】　
本発明は、上記問題点に鑑みてなされたものであり、ＯＳ起動前にＢＩＯＳにより表示されるＢＩＯＳ画面の表示画像および表示設定の変更を可能とするコンピュータ装置、表示情報配信システム、ＢＩＯＳ画面表示方法、およびそのプログラムを提供することを目的とする。
　
Ｂ　「【００４７】　　
ＢＩＯＳは、ＬＡＮインタフェース１０４によるネットワーク接続を行うネットワーク機能を可能とするＢＩＯＳモジュールと、ＢＩＯＳロゴ画面が表示可能となったフェーズにおいて装置コンフィグ情報格納ＣＭＯＳ１０３から画面表示の設定情報を取得し、取得した設定情報によりロゴ表示制御を行う機能とを有する。
【００４８】　　
ＬＡＮインタフェース１０４は、ネットワーク２０を介して接続されている表示情報配信サーバ１０から、ＢＩＯＳロゴ画面において表示する画像やメッセージなどの画面表示データをダウンロードする。また、ＬＡＮインタフェース１０４は、ネットワーク２０を介して表示情報配信サーバ１０から、ＢＩＯＳロゴ画面上の文字・画像の表示位置、明るさ、表示／再生タイミング、または表示期間等を設定するための設定情報をダウンロードし、装置コンフィグ情報格納ＣＭＯＳ１０３にそのダウンロードした設定情報を設定する機能を有する。
　
Ｃ　「【００５２】　　
図４は、本発明の一実施形態における変更後のＢＩＯＳロゴ画面の一例を示す図である。
図４には、一例として、コンピュータ装置出荷から指定年月過ぎた際に表示する、コンピュータ装置買い替え促進キャンペーンの内容を示すロゴが表示されている。本実施形態では、図３により示される通常のＢＩＯＳロゴ画面を、図４に示されるような予定、通知、または広告などの任意の画像・文字情報から構成されるＢＩＯＳロゴ画面に自由に変更することが可能である。
　
Ｄ　「【００５４】　
本実施形態において、ＢＩＯＳは、起動時に動作する初期診断機能とともに、ＢＩＯＳロゴ画面表示変更機能およびネットワーク接続機能を有する。
【００５５】　
電源ＯＮ（ステップＳ１０１）後、プロセッサ１０１は、ＢＩＯＳの機能を用いてコンピュータ装置が動作するための基本的な処理（各デバイス初期化、基本入出力装置初期化、ｅｔｃ）を、ＢＩＯＳロゴ画面が表示可能となるフェーズまで行う（ステップＳ１０２）。
【００５６】　
次に、プロセッサ１０１は、装置コンフィグ情報格納ＣＭＯＳ１０３に格納されている画面表示制御情報を読み取る（ステップＳ１０３）。　
【００５７】　
次に、プロセッサ１０１は、読み取った画面表示制御情報が、画面表示データ／設定情報のネットワークダウンロードを指示するものであるか否かを判断する（ステップＳ１０４）。　
【００５８】　
画面表示制御情報が、画面表示データ／設定情報のネットワークダウンロードを指示するものであると判断された場合（ステップＳ１０４／Ｙｅｓ）、ＬＡＮインタフェース１０４は、表示情報配信サーバ１０へのネットワーク接続にトライする（ステップＳ１０５）。　
【００５９】　
表示情報配信サーバ１０に接続後（ステップＳ１０５）、ＬＡＮインタフェース１０４は、表示情報配信サーバ１０から、画面表示データおよび表示のための詳細な設定情報をコンピュータ装置上にダウンロードする（ステップＳ１０６）。
【００６０】　
次に、プロセッサ１０１は、ダウンロードした画面表示データを画面表示データはフラッシュＲＯＭ１０２に、設定情報を装置コンフィグ情報格納ＣＭＯＳ１０３にそれぞれ保存し（ステップＳ１０７）、再度、画面表示切替タスクを実行する（ステップＳ１０３）。
　
Ｅ　「【００６３】　
また、
ステップＳ１０３で取得された画面表示制御情報においてロゴ画面変更制御が指示されている場合、プロセッサ１０１は、ＢＩＯＳの機能を用いて、フラッシュＲＯＭ１０２から該当する画面表示データ（画像・文字）を読み取り、読み取った画面表示データをＢＩＯＳロゴ画面として表示装置１０５に表示させる。
【００６４】　
ＢＩＯＳロゴ画面表示の際、プロセッサ１０１は、装置コンフィグ情報格納ＣＭＯＳ１０３内の設定情報を読み取る。その設定情報に、画面表示データの表示タイミング（時間／日付）または表示期間等の時間情報（設定情報）が設定されていれば、プロセッサ１０１は、読み取った時間情報とＲＴＣ１０８により計時される現在時刻とを比較する。プロセッサ１０１は、比較した結果、現在時刻が時間情報により指定された時間の範囲内である場合、ＢＩＯＳの機能を用いて、その時間情報により表示が制御される画面表示データによるＢＩＯＳロゴ画面に切り替える。
…（中略）…　
【００６８】　
画面情報の強制表示（ブート待ち合わせ）が指示されていないことが確認された場合（ステップＳ１１０／Ｎｏ）、プロセッサ１０１は、ＢＩＯＳの機能を用いて、ＢＩＯＳ（ロゴ）画面をクリアし、通常のＯＳ起動を実行する（ステップＳ１１２）。
　
　ここで、上記引用文献に記載されている事項を検討する。　
　
（ア）上記Ａの「ＢＩＯＳ中で厳密なメモリチェックを行う場合、ＯＳ（Ｏｐｅｒａｔｉｎｇ　Ｓｙｓｔｅｍ）起動までに時間がかかるため、このロゴ表示時間が長い。起動時間は改善されつつあるが、エラーチェックを厳密に行い、エラー検出したメモリを切り離す機能を持つサーバ装置の場合、単純にメモリチェックをバイパスさせての起動時間短縮は出来ないため、長時間ロゴ画面が表示されている。」，「本発明は、上記問題点に鑑みてなされたものであり、ＯＳ起動前にＢＩＯＳにより表示されるＢＩＯＳ画面の表示画像および表示設定の変更を可能とするコンピュータ装置、表示情報配信システム、ＢＩＯＳ画面表示方法、およびそのプログラムを提供することを目的とする。」との記載、上記Ｄの「本実施形態において、ＢＩＯＳは、起動時に動作する初期診断機能とともに、ＢＩＯＳロゴ画面表示変更機能およびネットワーク接続機能を有する。」，「電源ＯＮ（ステップＳ１０１）後、プロセッサ１０１は、ＢＩＯＳの機能を用いてコンピュータ装置が動作するための基本的な処理（各デバイス初期化、基本入出力装置初期化、ｅｔｃ）を、ＢＩＯＳロゴ画面が表示可能となるフェーズまで行う（ステップＳ１０２）。」との記載からすると、「ＢＩＯＳ」は「ロゴ画面表示変更機能」および「ネットワーク接続機能」を有し、ＯＳ起動前に「ＢＩＯＳ画面の表示画像」を表示していることは明らかであり、また、上記Ｃの「図４には、一例として、コンピュータ装置出荷から指定年月過ぎた際に表示する、コンピュータ装置買い替え促進キャンペーンの内容を示すロゴが表示されている。本実施形態では、図３により示される通常のＢＩＯＳロゴ画面を、図４に示されるような予定、通知、または広告などの任意の画像・文字情報から構成されるＢＩＯＳロゴ画面に自由に変更することが可能である。」との記載からすると、「ＢＩＯＳ」の機能により、通常のＢＩＯＳロゴ画面のほか、広告などの任意の画像・文字情報から構成されるＢＩＯＳロゴ画面に自由に変更することが可能であることから、引用文献には、
「ＢＩＯＳがＯＳ起動前に、ＢＩＯＳロゴ画面表示変更機能およびネットワーク接続機能を用いて、広告を含むＢＩＯＳ画面の表示画像を表示するＢＩＯＳ画面表示方法」
が記載されていると解される。
　
（イ）上記Ｂの「ＢＩＯＳは、ＬＡＮインタフェース１０４によるネットワーク接続を行うネットワーク機能を可能とするＢＩＯＳモジュールと、ＢＩＯＳロゴ画面が表示可能となったフェーズにおいて装置コンフィグ情報格納ＣＭＯＳ１０３から画面表示の設定情報を取得し、取得した設定情報によりロゴ表示制御を行う機能とを有する。」，「ＬＡＮインタフェース１０４は、ネットワーク２０を介して接続されている表示情報配信サーバ１０から、ＢＩＯＳロゴ画面において表示する画像やメッセージなどの画面表示データをダウンロードする。また、ＬＡＮインタフェース１０４は、ネットワーク２０を介して表示情報配信サーバ１０から、ＢＩＯＳロゴ画面上の文字・画像の表示位置、明るさ、表示／再生タイミング、または表示期間等を設定するための設定情報をダウンロードし、装置コンフィグ情報格納ＣＭＯＳ１０３にそのダウンロードした設定情報を設定する機能を有する。」との記載、上記Ｄの「表示情報配信サーバ１０に接続後（ステップＳ１０５）、ＬＡＮインタフェース１０４は、表示情報配信サーバ１０から、画面表示データおよび表示のための詳細な設定情報をコンピュータ装置上にダウンロードする（ステップＳ１０６）。」，「次に、プロセッサ１０１は、ダウンロードした画面表示データを画面表示データはフラッシュＲＯＭ１０２に、設定情報を装置コンフィグ情報格納ＣＭＯＳ１０３にそれぞれ保存し（ステップＳ１０７）、再度、画面表示切替タスクを実行する（ステップＳ１０３）。」との記載からすると、「ＢＩＯＳ」は「コンピュータ装置」の外部の「表示情報配信サーバ」からネットワークを介して、「画面表示データ」をダウンロードすると解され、また、上記（ア）の検討から、「ＢＩＯＳ」の「ＢＩＯＳロゴ画面表示変更機能」および「ネットワーク接続機能」がダウンロードを実行していることは明らかであるから、引用文献には、
「ＢＩＯＳのＢＩＯＳロゴ画面表示変更機能およびネットワーク接続機能が、画面表示データをコンピュータ装置の外部の表示情報配信サーバからネットワークを介してダウンロードするステップ」
が記載されていると解される。
　
（ウ）上記（ア），（イ）の検討から、「ＢＩＯＳ」がＯＳ起動前に、画面表示データを表示情報配信サーバからネットワークを介してダウンロードしているのであり、実際には、「ＢＩＯＳ」がＯＳ起動前に、「ＢＩＯＳ」自身が有する「ＢＩＯＳロゴ画面表示変更機能」および「ネットワーク接続機能」を実行することによりそれを実現していることは明らかであるから、引用文献には、
「ＢＩＯＳがＯＳ起動前に、ネットワークを介して画面表示データをダウンロードするよう、ＢＩＯＳロゴ画面表示変更機能およびネットワーク接続機能を実行するステップ」
が記載されていると解される。
　
（エ）上記Ｂの「ＬＡＮインタフェース１０４は、ネットワーク２０を介して接続されている表示情報配信サーバ１０から、ＢＩＯＳロゴ画面において表示する画像やメッセージなどの画面表示データをダウンロードする。また、ＬＡＮインタフェース１０４は、ネットワーク２０を介して表示情報配信サーバ１０から、ＢＩＯＳロゴ画面上の文字・画像の表示位置、明るさ、表示／再生タイミング、または表示期間等を設定するための設定情報をダウンロードし、装置コンフィグ情報格納ＣＭＯＳ１０３にそのダウンロードした設定情報を設定する機能を有する。」との記載、上記Ｅの「ステップＳ１０３で取得された画面表示制御情報においてロゴ画面変更制御が指示されている場合、プロセッサ１０１は、ＢＩＯＳの機能を用いて、フラッシュＲＯＭ１０２から該当する画面表示データ（画像・文字）を読み取り、読み取った画面表示データをＢＩＯＳロゴ画面として表示装置１０５に表示させる。…（中略）…。ＢＩＯＳロゴ画面表示の際、プロセッサ１０１は、装置コンフィグ情報格納ＣＭＯＳ１０３内の設定情報を読み取る。その設定情報に、画面表示データの表示タイミング（時間／日付）または表示期間等の時間情報（設定情報）が設定されていれば、プロセッサ１０１は、読み取った時間情報とＲＴＣ１０８により計時される現在時刻とを比較する。プロセッサ１０１は、比較した結果、現在時刻が時間情報により指定された時間の範囲内である場合、ＢＩＯＳの機能を用いて、その時間情報により表示が制御される画面表示データによるＢＩＯＳロゴ画面に切り替える。…（中略）…。画面情報の強制表示（ブート待ち合わせ）が指示されていないことが確認された場合（ステップＳ１１０／Ｎｏ）、プロセッサ１０１は、ＢＩＯＳの機能を用いて、ＢＩＯＳ（ロゴ）画面をクリアし、通常のＯＳ起動を実行する（ステップＳ１１２）。」との記載からすると、「ＢＩＯＳ」はネットワークを介して表示情報配信サーバから画面表示データをダウンロードするとともに、画面表示データの表示タイミング（時間／日付）または表示期間等の時間情報（設定情報）をダウンロードして、該時間情報（設定情報）により指定された時間の範囲内で画面表示データを表示装置に表示していると解されるから、引用文献には、
「ＢＩＯＳがＯＳ起動前に、ダウンロードした表示タイミング（時間／日付）または表示期間等の時間情報（設定情報）に基づき、表示装置にダウンロードした画面表示データを表示するステップ」
が記載されていると解される。
　
　以上、（ア）乃至（エ）で指摘した事項から、引用文献には、次の発明（以下、「引用発明」という。）が記載されているものと認める。
　
「ＢＩＯＳがＯＳ起動前に、ＢＩＯＳロゴ画面表示変更機能およびネットワーク接続機能などのＢＩＯＳ機能を実行し、ＢＩＯＳのＢＩＯＳロゴ画面表示変更機能およびネットワーク接続機能が、広告を含む画面表示データをコンピュータ装置の外部の表示情報配信サーバからネットワークを介してダウンロードするステップと、　
　ＢＩＯＳがＯＳ起動前に、ネットワークを介して広告を含む画面表示データをダウンロードするよう、ＢＩＯＳロゴ画面表示変更機能およびネットワーク接続機能を実行するステップと、　
　ＢＩＯＳがＯＳ起動前に、ダウンロードした表示タイミング（時間／日付）または表示期間等の時間情報（設定情報）に基づき、表示装置にダウンロードした広告を含む画面表示データを表示するステップと、を有するＢＩＯＳ画面表示方法。」　
　
　
（３）参考文献　
　
（３−１）参考文献１に記載されている技術的事項
　
　本願の出願日前であって、上記優先日よりも前の日に頒布された刊行物、「米田  聡，目からウロコのＰＣ不思議探検  第２８回，ＤＯＳ／Ｖ  ｍａｇａｚｉｎｅ，日本，ソフトバンクパブリッシング（株），２００４年７月１５日，第13巻,第13号，p.206-207」（以下、「参考文献１」という。）には、関連する図面とともに、以下の技術的事項が記載されている。
　（当審注：下線は、参考のために当審で付与したものである。）
　
Ｆ　「
インテルとマイクロソフトは「ＥＦＩ」（Ｅｘｔｅｎｓｉｂｌｅ　Ｆｉｒｍｗａｒｅ　Ｉｎｔｅｒｆａｃｅ）と呼ばれる新しいＢＩＯＳを提案している。
　
Ｇ　「ＥＦＩで目指すもの
　
マイクロソフトやインテルが協調して推進しようとしているＥＦＩは，ＢＩＯＳからレガシーな部分を取り払い，より近代的に刷新しようとする規格だ（図３）。
ＥＦＩで大きく改善されるのはデバイスの扱い方だ。ＥＦＩではデバイスドライバ（ＥＦＩドライバ）インタフェースが用意され，ハードウェアベンダーはＥＦＩドライバで自社の新型ハードウェアをサポートできるようになる。
　
（３−２）参考文献２に記載されている技術的事項
　
　本願の出願日前であって、上記優先日よりも前の日に頒布された刊行物、「塩田  紳二，ＥＦＩってなんだ？，ＡＳＣＩＩ，日本，株式会社アスキー，２００５年２月１日，第29巻,第2号，p.132-133」（以下、「参考文献２」という。）には、関連する図面とともに、以下の技術的事項が記載されている。
　
Ｈ　「しかし，ＩＢＭ　ＰＣが登場して２３年近くが経過しており，拡張が困難になってきたこと。
さらに今後，さまざまなデバイスなどが登場することに対応し，ＰＣの管理を容易にするために，ＢＩＯＳを置き換える必要が出てきた。その候補がＥＦＩ（Ｅｘｔｅｎｓｉｂｌｅ　Ｆｉｒｍｗａｒｅ　Ｉｎｔｅｒｆａｃｅ　写真１）なのである。
…（中略）…。　
拡張可能なファームウェア　
　
ＥＦＩは，このＢＩＯＳを置き換えるためにインテルが中心になって開発を進めている。一番の違いは，拡張性を最初から意識して作られていること。その名称に含まれるＥｘｔｅｎｓｉｂｌｅは，ＥＦＩアプリケーションにより機能拡張が可能なことを意味する。
　
Ｊ　「ＥＦＩの構造
　
ＥＦＩは，リセット直後に起動し，自分自身の環境を整えたのちに必要なドライバをロードする。
　ＥＦＩが起動すると，ＯＳローダなどのＥＦＩアプリケーションが実行可能な状態となる。ＢＩＯＳとの互換性を持たせるためのモジュールもＥＦＩアプリケーションとして記述され，ＥＦＩの上で動作する。」（１３３頁中欄９〜２５行）
　
（３−３）参考文献３に記載されている技術的事項
　
　本願の出願日前であって、上記優先日よりも前の日に頒布された、特表２００５−５２８６６５号公報（平成１７年９月２２日出願公開、以下、「参考文献３」という。）には、関連する図面とともに、以下の技術的事項が記載されている。
　（当審注：下線は、参考のために当審で付与したものである。）
　
Ｋ　「【００２０】　
　
図２に示されるシステム２００は、ＥＦＩコア２０５、レガシー実行イメージ２１０、ＥＦＩドライバ２１５及びＶＭＭ２２０を含む。
この点で、ＥＦＩドライバ２１５のうちの１つは、関連するチップセットレジスタと通信し、仮想マシンに結果を供給する。これにより、レガシーな環境からの移行パスが供給される。
　
　
（４）本件補正発明と引用発明との対比
　
　本件補正発明と引用発明とを対比する。
　
（４−１）引用発明の「ＢＩＯＳ」は、「コンピュータ装置」において「ＯＳ起動前」に動作して、「広告を含む画面表示データ」を「表示装置」に表示していることから、本件補正発明の「拡張ファームウェア・インタフェース（ＥＦＩ）」に対応するものであり、引用発明の「ＢＩＯＳ」と、本件補正発明の「拡張ファームウェア・インタフェース（ＥＦＩ）」とは、「ＯＳ起動前動作システム」である点で共通している。
　
（４−２）引用発明においては、「ＢＩＯＳ」が「ＯＳ起動前」に動作して、「広告を含む画面表示データ」を「コンピュータ装置」の外部の「表示情報配信サーバ」から「ネットワーク」を介してダウンロードしており、「ＢＩＯＳ」の機能により「広告を含む画面表示データ」を「表示情報配信サーバ」から抽出しているといえることから、引用発明における「広告を含む画面表示データ」，「コンピュータ装置」，「表示情報配信サーバ」，「ネットワーク」は、本件補正発明の「画面画像」，「コンピュータシステム」，「第三者装置」，「通信ネットワーク」に相当するといえる。
　また、引用発明では、「ＢＩＯＳ」が「ＢＩＯＳ機能」の一部として「ＢＩＯＳロゴ画面表示変更機能」および「ネットワーク接続機能」を実行して、「広告を含む画面表示データ」を「表示情報配信サーバ」からダウンロードしており、一方、本件補正発明では、「拡張ファームウェア・インタフェース（ＥＦＩ）」の機能実行手段である「ＥＦＩドライバ」が「広告板サービスドライバ」を含み、「画面画像」を「第三者装置」から抽出していることから、引用発明の「ＢＩＯＳ機能」と本件補正発明の「ＥＦＩドライバ」とは「ＯＳ起動前動作機能」である点で共通している。そして、引用発明の「ＢＩＯＳロゴ画面表示変更機能」および「ネットワーク接続機能」は、本件補正発明の「広告板サービスドライバ」に対応し、引用発明の「ＢＩＯＳロゴ画面表示変更機能」および「ネットワーク接続機能」を合わせた機能と、本件補正発明の「広告板サービスドライバ」とは、「広告表示機能」である点で共通しているといえる。
　そうすると、引用発明の「ＢＩＯＳがＯＳ起動前に、ＢＩＯＳロゴ画面表示変更機能およびネットワーク接続機能などのＢＩＯＳ機能を実行し、ＢＩＯＳのＢＩＯＳロゴ画面表示変更機能およびネットワーク接続機能が、広告を含む画面表示データをコンピュータ装置の外部の表示情報配信サーバからネットワークを介してダウンロードするステップ」と、本件補正発明の「拡張ファームウェア・インタフェース（ＥＦＩ）がオペレーティング・システムを起動する前に、広告板サービスドライバを含む前記ＥＦＩのＥＦＩドライバをロード及び実行するステップであって、前記広告板サービスドライバは、実行されると画面画像をコンピュータシステムの外部の第三者装置から通信ネットワークを介し抽出する、前記ＥＦＩドライバをロード及び実行する段階」とは、「ＯＳ起動前動作システムがオペレーティング・システムを起動する前に、ＯＳ起動前動作機能を実行するステップであって、ＯＳ起動前動作機能に含まれる広告表示機能は、実行されると画面画像をコンピュータシステムの外部の第三者装置から通信ネットワークを介し抽出する、前記ＯＳ起動前動作機能を実行する段階」である点で共通している。 
　
（４−３）上記（４−１）と（４−２）の検討から、引用発明の「ＢＩＯＳ」と、本件補正発明の「拡張ファームウェア・インタフェース（ＥＦＩ）」とは、「ＯＳ起動前動作システム」である点で共通し、引用発明の「ＢＩＯＳロゴ画面表示変更機能」および「ネットワーク接続機能」を合わせた機能は、本件補正発明の「広告板サービスドライバ」に対応し、「広告表示機能」である点で共通していることから、引用発明の「ＢＩＯＳがＯＳ起動前に、ネットワークを介して広告を含む画面表示データをダウンロードするよう、ＢＩＯＳロゴ画面表示変更機能およびネットワーク接続機能を実行するステップ」と、本件補正発明の「前記ＥＦＩが前記オペレーティング・システムを起動する前に、前記通信ネットワークを介し前記画面画像を抽出するよう前記広告板サービスドライバを実行する段階」とは、「前記ＯＳ起動前動作システムが前記オペレーティング・システムを起動する前に、前記通信ネットワークを介し前記画面画像を抽出するよう前記広告表示機能を実行する段階」である点で共通している。 
　
（４−４）引用発明の「表示装置」は本件補正発明の「コンソール」に対応し、両者は「画面画像」を表示する「表示手段」である点で共通しており、また、引用発明では、ダウンロードした「表示タイミング（時間／日付）または表示期間等の時間情報（設定情報）」に従って「広告を含む画面表示データ」を表示して、「表示タイミング（時間／日付）または表示期間等の時間情報（設定情報）」が「制御可能な時間期間」を決定しているといえる。
　そうすると、引用発明の「ＢＩＯＳがＯＳ起動前に、ダウンロードした表示タイミング（時間／日付）または表示期間等の時間情報（設定情報）に基づき、表示装置にダウンロードした広告を含む画面表示データを表示するステップ」と、本件補正発明の「前記ＥＦＩが前記オペレーティング・システムを起動する前に、制御可能な時間期間においてコンソールで前記抽出された画面画像を表示する段階」とは、「前記ＯＳ起動前動作システムが前記オペレーティング・システムを起動する前に、制御可能な時間期間において表示手段で前記抽出された画面画像を表示する段階」である点で共通している。 　
　
　以上から、本件補正発明と引用発明とは、以下の点で一致し、また、以下の点で相違する。 
　
（一致点） 
　
「ＯＳ起動前動作システムがオペレーティング・システムを起動する前に、ＯＳ起動前動作機能を実行するステップであって、ＯＳ起動前動作機能に含まれる広告表示機能は、実行されると画面画像をコンピュータシステムの外部の第三者装置から通信ネットワークを介し抽出する、前記ＯＳ起動前動作機能を実行する段階と、　
　前記ＯＳ起動前動作システムが前記オペレーティング・システムを起動する前に、前記通信ネットワークを介し前記画面画像を抽出するよう前記広告表示機能を実行する段階と、　
　前記ＯＳ起動前動作システムが前記オペレーティング・システムを起動する前に、制御可能な時間期間において表示手段で前記抽出された画面画像を表示する段階と、を有する方法。」
　
（相違点１）
　
　ＯＳ起動前動作システムに関して、オペレーティング・システムを起動する前に画面画像を抽出し、表示するために、本件補正発明では「拡張ファームウェア・インタフェース（ＥＦＩ）」が動作し、機能実行手段である「ＥＦＩドライバ」をロード及び実行しているのに対して、引用発明では「ＢＩＯＳ」が動作し、「ＢＩＯＳ機能」を実行している点。
　
（相違点２）
　
　広告表示機能の実行に関して、画面画像を抽出するために、本件補正発明では「広告板サービスドライバ」を実行しているのに対して、引用発明では「ＢＩＯＳロゴ画面表示変更機能」および「ネットワーク接続機能」を実行している点。
　
（相違点３）
　
　画面画像の表示手段に関して、本件補正発明では、「コンピュータシステム」の「コンソール」に表示しているのに対して、引用発明では、「コンピュータ装置」を構成する「表示装置」に表示している点。
　
（５）当審の判断
　
　上記相違点１乃至相違点３について検討する。
　
（５−１）相違点１について
　
　オペレーティング・システムを起動する前に動作するＢＩＯＳに代わるものとして、拡張ファームウェア・インタフェース（ＥＦＩ）を利用することは、例えば、参考文献１（上記Ｆ，Ｇ参照），参考文献２（上記Ｈ参照）に記載があるように、本願優先日前には周知の技術であった。
　また、拡張ファームウェア・インタフェース（ＥＦＩ）の機能を実行するために、ＥＦＩドライバなどのソフトウェアをロード及び実行することも、例えば、参考文献１（上記Ｇ参照），参考文献２（上記Ｊ参照），参考文献３（上記Ｋ参照）に記載があるように、本願優先日前には周知の事項であった。
　一方、引用発明は、サーバなどのコンピュータ装置の、電源ＯＮからＯＳ起動までの時間が長く、その間の表示がユーザの利用意欲を減退させていたという従来の課題を解決するものであるが、拡張ファームウェア・インタフェース（ＥＦＩ）を利用する場合にも同様の課題が存在することは、当業者にとっては自明であったといえる。
　してみると、引用発明において、上記周知技術に基づき、「ＢＩＯＳ」に代えて、オペレーティング・システムを起動する前に動作するシステムとして、「拡張ファームウェア・インタフェース（ＥＦＩ）」を採用し、ＥＦＩ機能を実行するために、ＥＦＩドライバをロード及び実行すること、すなわち、相違点１に係る構成とすることは、当業者が容易に想到し得たことである。
　
　よって、相違点１は格別なものではない。
　
（５−２）相違点２について
　
　引用発明では、ＯＳ起動前に、ネットワークを介して広告を含む画面表示データをダウンロードするよう、ＢＩＯＳロゴ画面表示変更機能およびネットワーク接続機能を実行しているが、これら２つの機能は１つの広告表示機能として、ＢＩＯＳが実行しているといえる。
　また、拡張ファームウェア・インタフェース（ＥＦＩ）の機能を実行するために、ＥＦＩドライバなどのソフトウェアをロード及び実行することも、例えば、参考文献１（上記Ｇ参照），参考文献２（上記Ｊ参照），参考文献３（上記Ｋ参照）に記載があるように、本願優先日前には周知の事項であった。
　してみると、引用発明において、上記周知技術に基づき、「ＢＩＯＳロゴ画面表示変更機能」および「ネットワーク接続機能」を１つの広告表示機能として、適宜、ソフトウェアである「広告板サービスドライバ」が実行すること、すなわち、相違点２に係る構成とすることは、当業者が容易に想到し得たことである。
　
　よって、相違点２は格別なものではない。
　
（５−３）相違点３について
　
　複数の端末装置が接続されたコンピュータ装置本体を管理するために、装置本体に直接接続されたコンソールを利用することは本願優先日前には周知の事項であった。また、コンソール自体に表示装置が備えられていることも、例を挙げるまでもなく周知の事項であった。
　してみると、引用発明において、上記周知の事項に基づき、「表示装置」に代えて、表示手段として「コンソール」を採用し、適宜、オペレーティング・システムを起動する前に画面画像を表示すること、すなわち、相違点３に係る構成とすることは、当業者が容易に想到し得たことである。
　
　よって、相違点３は格別なものではない。
　
（５−４）小括
　
　上記で検討したごとく、相違点１乃至相違点３は格別のものではなく、そして、これらの相違点を総合的に勘案しても、本件補正発明の奏する作用効果は、上記引用発明及び周知技術の奏する作用効果から予測される範囲内のものにすぎず、格別顕著なものということはできない。
　
　したがって、本件補正発明は、上記引用発明及び周知技術に基づいて、当業者が容易に発明をすることができたものであり、特許法第２９条第２項の規定により、特許出願の際独立して特許を受けることができない。
　
　
４．むすび 
　
　以上のように、本件補正は、上記「２．補正の目的要件」で指摘したとおり、平成１８年法律第５５号改正附則第３条第１項によりなお従前の例によるとされる同法による改正前の特許法１７条の２第４項の各号に掲げるいずれの事項を目的とするものにも該当せず、同法第１７条の２第４項の規定に違反するので、同法第１５９条第１項において読み替えて準用する同法第５３条第１項の規定により却下すべきものである。
　また、仮に本件補正が、平成１８年法律第５５号改正附則第３条第１項によりなお従前の例によるとされる同法による改正前の特許法第１７条の２第４項第２号の限定的減縮に該当すると仮定した場合であっても、本件補正は、上記「３．独立特許要件」で指摘したとおり、補正後の請求項６に記載された発明は、特許出願の際独立して特許を受けることができるものではないから、平成１８年法律第５５号改正附則第３条第１項の規定によりなお従前の例によるとされる同法による改正前の特許法第１７条の２第５項の規定において準用する同法第１２６条第５項の規定に違反するので、同法第１５９条第１項において読み替えて準用する同法第５３条第１項の規定により却下すべきものである。 
 　 
　よって、上記補正却下の決定の結論のとおり決定する。
　
　
第３　本件審判請求の成否について  
  
１．本願発明の認定 
  
　平成２４年１０月５日付けの手続補正は上記のとおり却下されたので、本件補正後の請求項６に対応する本件補正前の請求項に係る発明（以下、「本願発明」という。）は、平成２３年１１月７日付け手続補正書の特許請求の範囲の請求項８に記載された事項により特定される、以下のとおりのものである。
　
「方法であって：
　オペレーティング・システムを起動する前に通信ネットワークを介し画面画像を抽出する段階；及び
　前記オペレーティング・システムを起動する前にコンソールで前記抽出された画面画像を表示する段階、を有する方法。」 
　
２．引用文献に記載されている技術的事項及び引用発明の認定 
　
 　原査定の拒絶の理由に引用された、引用発明は、前記「第２　平成２４年１０月５日付けの手続補正についての補正却下の決定」の「３．独立特許要件」の「（２）引用発明」に記載したとおりの次の発明であると認める。
　
「ＢＩＯＳがＯＳ起動前に、ＢＩＯＳロゴ画面表示変更機能およびネットワーク接続機能などのＢＩＯＳ機能を実行し、ＢＩＯＳのＢＩＯＳロゴ画面表示変更機能およびネットワーク接続機能が、広告を含む画面表示データをコンピュータ装置の外部の表示情報配信サーバからネットワークを介してダウンロードするステップと、
ＢＩＯＳがＯＳ起動前に、ネットワークを介して広告を含む画面表示データをダウンロードするよう、ＢＩＯＳロゴ画面表示変更機能およびネットワーク接続機能を実行するステップと、
ＢＩＯＳがＯＳ起動前に、ダウンロードした表示タイミング（時間／日付）または表示期間等の時間情報（設定情報）に基づき、表示装置にダウンロードした広告を含む画面表示データを表示するステップと、を有するＢＩＯＳ画面表示方法。」
　
３．対比  
　
　前記「第２　平成２４年１０月５日付けの手続補正についての補正却下の決定」の「３．独立特許要件」の「（４）本件補正発明と引用発明との対比」での検討からすると、本願発明と引用発明とは、以下の点で一致し、また、以下の点で相違する。 
　
（一致点） 
　
「方法であって：
オペレーティング・システムを起動する前に、通信ネットワークを介し画面画像を抽出する段階と、
　前記オペレーティング・システムを起動する前に、表示手段で前記抽出された画面画像を表示する段階と、を有する方法。」
　
（相違点）
　
　画面画像の表示手段に関して、本願発明では「コンソール」に表示しているのに対して、引用発明では「表示装置」に表示している点。
　
４．当審の判断
　
　複数の端末装置が接続されたコンピュータ装置本体を管理するために、装置本体に直接接続されたコンソールを利用することは本願優先日前には周知の事項であった。また、コンソール自体に表示装置が備えられていることも、例を挙げるまでもなく周知の事項であった。
　してみると、引用発明において、上記周知の事項に基づき、「表示装置」に代えて、表示手段として「コンソール」を採用し、適宜、オペレーティング・システムを起動する前に画面画像を表示すること、すなわち、相違点に係る構成とすることは、当業者が容易に想到し得たことである。
　
　よって、相違点は格別なものではない。
　
５．むすび 
　
　以上のとおり、本願の請求項８に係る発明は、特許法第２９条第２項の規定により特許を受けることができないものであるから、その余の請求項に係る発明について検討するまでもなく、本願は拒絶すべきものである。 
　
　よって、結論のとおり審決する。